(57)【要約】【課題】輝線スジや暗線スジの発生が抑制され、グレアの発生が抑制された面状発光モジュール、及び当該面状発光モジュールを備えた照明装置を提供する。【解決手段】導光体と光源とを備え、前記導光体は受光面と、偏向面と、発光面とを有する板形状を成し、前記受光面は複数の前記光源と対向し、前記光源は前記偏向面と平行な方向に列をなし、前記偏向面は互いに並行する複数の溝を有し、前記溝は前記板形状を平面視した時、滑らかに蛇行しており、前記複数の溝の間で前記蛇行の位相は互いに不規則にずれており、複数ある前記溝をそれぞれ基準断面に射影し、隣接する溝の射影の前記受光面の法線方向の最近接距離をＬとし、前記溝の最大深さをＶＨとしたときに、Ｌ／ＶＨ≧１４を満たす、面状発光モジュール。【選択図】図１
2019185886.tif 000002
【特許請求の範囲】
【請求項１】
導光体と光源とを備え、
前記導光体は、
受光面を有する側面と、
偏向面を有する下底面と、
発光面を有する上底面と、
を有する板形状を成しており、
前記受光面は複数の前記光源と対向し、
前記光源は前記偏向面と平行な方向に所定の間隔で列をなし、
前記偏向面は互いに並行する複数の溝を有し、
前記溝は前記受光面の近傍から前記受光面の遠方に向かう方向に順に配置されるとともに、前記板形状を平面視した時、滑らかに蛇行しており、
前記複数の溝の間で前記蛇行の位相は互いに不規則にずれており、
前記板形状の拡がる平面を基準平面とするとともに、前記受光面の法線と前記基準平面の法線とに平行である断面を基準断面とし、
複数ある前記溝をそれぞれ前記基準断面に射影し、隣接する溝の射影の前記受光面の法線方向の最近接距離をＬとし、前記溝の最大深さをＶＨとしたときに、
Ｌ／ＶＨ≧１４
を満たす、面状発光モジュール。
【請求項２】
前記基準断面において、前記溝の輪郭線の接線が前記基準平面に対して成す傾斜角は、前記溝の中での深さが大きくなるにつれて単調に小さくなるとともに、前記深さに応じて滑らかに変化する、請求項１に記載の面状発光モジュール。
【請求項３】
前記輪郭線がＶ字形状であり、
前記Ｖ字形状の中心線が前記基準平面に対して直角である、
請求項２に記載の面状発光モジュール。
【請求項４】
前記傾斜角は少なくとも２５度から６５度までの範囲で単調かつ滑らかに変化する、
請求項２又は３に記載の面状発光モジュール。
【請求項５】
前記受光面と平行な面における配光曲線において半値角が４５°以上である、
請求項１〜４のいずれかに記載の面状発光モジュール。
【請求項６】
前記半値角は６０°以上である、
請求項５に記載の面状発光モジュール。
【請求項７】
前記蛇行のピッチに対する前記蛇行の蛇行幅の比は０．０６以上である、
請求項１〜６のいずれかに記載の面状発光モジュール。
【請求項８】
前記蛇行において、前記溝と前記受光面とが成す角度の最大値は２０．７°以上である、
請求項１〜７のいずれかに記載の面状発光モジュール。
【請求項９】
前記発光面は互いに並行する凸条を有し、
前記凸条は前記受光面に対して直角である、
請求項１〜８のいずれかに記載の面状発光モジュール。
【請求項１０】
請求項１〜９のいずれかに記載の面状発光モジュールを備えるが、
前記発光面に対向する拡散材を備えない、
照明装置。
【請求項１１】
請求項１〜９のいずれかに記載の面状発光モジュールを備えるが、
前記偏向面に対して対向する非鏡面を有する反射材を備えない、
照明装置。
【発明の詳細な説明】
【技術分野】
【０００１】
本発明は面状発光モジュール、及び照明装置に関する。
【背景技術】
【０００２】
特許文献１はエッジライト方式の照明装置を開示している。かかる照明装置の分解斜視図を同文献より引用し図１１に示す。かかる照明装置１では、導光板２の側面２ａ，ｂ側に配置した光源ユニット３ａ、３ｂの備えるＬＥＤ（発光ダイオード）８から光が導光板２内に入射する。照明装置１では導光板２の主面２ｄから光が出射する。図中には反射材４、拡散材５及び主面２ｄに設けられた凸条７が描かれている。
【０００３】
図１１に示す導光板２の底面２ｃには、Ｘ軸方向に延びる凹条６が所定のピッチで複数形成されている。凹条６により、底面２ｃで光は向きを変え、主面２ｄに向かって進むようになる。凹条６の断面形状を所定のものとすることにより、導光板２の主面２ｄから光が拡散しながら出射し、拡散材５にてさらに拡散して出射するため、照明装置１を斜めから、視角を変えながら見た時の発光面上における輝度の変化を緩和することができる。
【０００４】
本発明者らは、特許文献２において、前記特許文献１のような複数の溝を有する導光体において、当該溝をそれぞれ不規則に蛇行させることにより、面状発光モジュールに生じるグレアが抑制されることを開示している。
【先行技術文献】
【特許文献】
【０００５】
【特許文献１】国際公開第２０１４／２０００９６号
【特許文献２】国際公開第２０１７／００８８１１号
【発明の概要】
【発明が解決しようとする課題】
【０００６】
特許文献２の手法によれば、グレアが抑制された面状発光モジュールを得ることができる。一方本発明者は、当該特許文献２の手法において、蛇行する複数の溝の配置によっては導光体の出射光に輝線スジや暗線スジが発生することがあるとの知見を得た。
【０００７】
本発明は、このような実情に鑑みてなされたものであり、輝線スジや暗線スジの発生が抑制され、グレアの発生が抑制された面状発光モジュール、及び当該面状発光モジュールを備えた照明装置を提供することを目的とする。
【課題を解決するための手段】
【０００８】
［１］  導光体と光源とを備え、
前記導光体は、
受光面を有する側面と、
偏向面を有する下底面と、
発光面を有する上底面と、
を有する板形状を成しており、
前記受光面は複数の前記光源と対向し、
前記光源は前記偏向面と平行な方向に所定の間隔で列をなし、
前記偏向面は互いに並行する複数の溝を有し、
前記溝は前記受光面の近傍から前記受光面の遠方に向かう方向に順に配置されるとともに、前記板形状を平面視した時、滑らかに蛇行しており、
前記複数の溝の間で前記蛇行の位相は互いに不規則にずれており、
前記板形状の拡がる平面を基準平面とするとともに、前記受光面の法線と前記基準平面の法線とに平行である断面を基準断面とし、
複数ある前記溝をそれぞれ前記基準断面に射影し、隣接する溝の射影の前記受光面の法線方向の最近接距離をＬとし、前記溝の最大深さをＶＨとしたときに、
Ｌ／ＶＨ≧１４
を満たす、面状発光モジュール。
［２］  前記基準断面において、前記溝の輪郭線の接線が前記基準平面に対して成す傾斜角は、前記溝の中での深さが大きくなるにつれて単調に小さくなるとともに、前記深さに応じて滑らかに変化する、［１］に記載の面状発光モジュール。
［３］  前記輪郭線がＶ字形状であり、
前記Ｖ字形状の中心線が前記基準平面に対して直角である、
［２］に記載の面状発光モジュール。
［４］  前記傾斜角は少なくとも２５度から６５度までの範囲で単調かつ滑らかに変化する、
［２］又は［３］に記載の面状発光モジュール。
［５］  前記受光面と平行な面における配光曲線において半値角が４５°以上である、
［１］〜［４］のいずれかに記載の面状発光モジュール。
［６］  前記半値角は６０°以上である、
［５］に記載の面状発光モジュール。
［７］  前記蛇行のピッチに対する前記蛇行の蛇行幅の比は０．０６以上である、
［１］〜［６］のいずれかに記載の面状発光モジュール。
［８］  前記蛇行において、前記溝と前記受光面とが成す角度の最大値は２０．７°以上である、
［１］〜［７］のいずれかに記載の面状発光モジュール。
［９］  前記発光面は互いに並行する凸条を有し、
前記凸条は前記受光面に対して直角である、
［１］〜［８］のいずれかに記載の面状発光モジュール。
［１０］  ［１］〜［９］のいずれかに記載の面状発光モジュールを備えるが、
前記発光面に対向する拡散材を備えない、
照明装置。
［１１］  ［１］〜［９］のいずれかに記載の面状発光モジュールを備えるが、
前記偏向面に対して対向する非鏡面を有する反射材を備えない、
照明装置。
【発明の効果】
【０００９】
本発明によれば、輝線スジや暗線スジの発生が抑制され、グレアの発生が抑制された面状発光モジュール、及び当該面状発光モジュールを備えた照明装置を提供することができる。
【図面の簡単な説明】
【００１０】
【図１】本発明の面状発光モジュールの一実施形態を示す斜視図である。
【図２】本発明の面状発光モジュールにおける蛇行溝の配置の一例を示す平面図及び正面図である。
【図３】本発明の照明装置の一実施形態を示す斜視図である。
【図４】本明細書における角度θ及びφを説明する模式図である。
【図５】実施例の面状発光モジュールに用いた導光体の平面図及び正面図である。
【図６】図５の導光体の溝の形状を示す模式図である。
【図７】関連技術に係る面状発光モジュールを示す図である。
【図８】関連技術に係る導光体の蛇行溝の配置の例を示す平面図及び正面図である。
【図９】暗線スジの一例を示す写真である。
【図１０】輝線スジの一例を示す写真である。
【図１１】関連技術に係る照明装置の斜視図である。
【図１２】実施例及び比較例における導光体の溝の断面形状を示す図である。
【発明を実施するための形態】
【００１１】
まず、本明細書における座標系について、図４を参照して説明する。図４に示されるとおり、板形状の導光体の拡がる平面を基準平面（ｘ−ｙ平面）とし、光源から導光体へ光が入射する方向をｙ軸、ｙ軸と直交する方向をｘ軸とし、ｘ−ｙ平面の法線方向をｚ軸とする。各軸の正の向きはｙ軸の向きを基準に左手系となるようにとる。なお、光源が導光体の対向する両側に配置されている場合は、着目する光を生じる光源を基準とするものとする。このとき、出射光の光路とｚ軸とのなす角をθ、出射光の光路のｘ−ｙ平面への射影とｘ軸とのなす角をφと定義する。
本実施形態では様々な構成要素が互いに成す角度について言及している。２つの要素が互いに所定の角度を成している、あるいは直角であるという表現、及びこれらに類する表現は、これらの２つの要素が接している、又は交差していることを限定するものではない。
【００１２】
本発明者は、鋭意検討の結果、図１１に示されるような複数の溝を有する導光体において、当該溝をそれぞれ不規則に蛇行させることにより、面状発光モジュールに生じるグレアを抑制できることを見出した。このことについて図７を参照して説明する。
図７は蛇行する溝を有する導光体２０を備えた面状発光モジュールを表す。図７の例に示される面状発光モジュールは、導光体２０と光源３０ａ−ｄとを備える。図７に示す導光体２０は板形状を成しており、側面２１ａは受光面を有し、下底面２２は略Ｖ字型の凹条である溝２６ａ−ｄを有する。下底面２２は溝によって偏向面の機能を発揮する。下底面２２は複数の溝を有するが、溝２６ａ−ｄは互いに交差しておらず、溝２６ａ−ｄは滑らかに蛇行している。溝２６ａ−ｄの間で蛇行の位相は互いに不規則にずれている。導光体２０の上底面２３は発光面を有する。
このような導光体により、列を成すＬＥＤのように間隔を置いて配置される光源を用いた場合であっても、強く出光する部分と弱く出光する部分が不明瞭となり、グレアの発生が抑制される。
【００１３】
一方、本発明者は、更なる検討の結果、上述の図７に示されるような蛇行する溝を有する導光体を用いた場合であっても、蛇行する溝の配置、特に複数ある溝間の距離によっては、筋状の輝線又は暗線が発生することがあるとの知見を得た。このことについて、図８を参照して説明する。図８は、導光体の蛇行溝の配置の例を示す平面図及び正面図である。図８（ａ）は導光体２０を上底面２３側から見た平面図、（ｂ）は導光体２０を基準断面２４側から見た図である。図８（ａ）では、溝（２６ａ−２６ｆ）の位置が示されている。また、図８（ｂ）は、溝（２６ａ−２６ｆ）の基準断面２４への射影（２８ａ−２８ｆ）が示されている。ここで、隣接する溝の射影の受光面２１から法線方向の最近接距離をＬとする。図８において隣接する溝２６ａと溝２６ｂの場合、射影２８ａの受光面から法線方向（以下、Ｙ軸方向）で、受光面から最も遠い点２９ａから、射影２８ｂの受光面から最も近い点２９ｂまでの距離を最近接距離Ｌ１とする。最近接距離Ｌ２〜Ｌ５も同様にして決定される。
図８中、最近接距離Ｌ２及びＬ４は、Ｌ１、Ｌ３、Ｌ５と比較して小さくなっている。例えば比較的短い最近接距離Ｌ２を有する溝２６ｂと溝２６ｃの場合、当該溝２６ｂと溝２６ｃの最大深さＶＨの位置が領域Ａ内で特に近くなっている。この場合、領域Ａ内において、溝２６ｃは溝２６ｂの陰になり光源からの光が他の溝と比較して当たりにくい。そのため、この部分の出射光が比較的暗くなることがあった。その結果、図９に示されるような暗線スジとなって見えることがあった。
一方、例えば、溝２６ｄと溝２６ｅの場合、比較的短い最近接距離Ｌ４を有するが、領域Ｂに示されるように溝２６ｄと溝２６ｅの最大深さＶＨはそれほど近接していない。この場合、溝２６ｄと溝２６ｅは各々光を反射する。そのためこの部分は、出射光が比較的明るくなることがあった。その結果、図１０に示されるような輝線スジとなって見えることがあった。
【００１４】
本発明者は、上記暗線スジ、輝線スジは、いずれも最近接距離Ｌを大きくすることで解消することができるとの知見から、鋭意検討を行った結果、溝の最大深さＶＨと、複数ある溝間の最近接距離Ｌとが、Ｌ／ＶＨ≧１４を満たすこと、好ましくはＬ／ＶＨ≧１６を満たすことにより暗線スジ、輝線スジが発生しないことを見出し、本発明を完成するに至った。
即ち本発明の面状発光モジュールは、蛇行する溝を有し、当該溝の最大深さと、複数ある溝間の最近接距離Ｌとが上記特定の関係を満たすことにより、輝線スジ、暗線スジの発生を抑制するとともにグレアが抑制される。
以下図面を参照しながら、本発明の面状発光モジュール及び照明装置の構成について説明する。
【００１５】
図１は本発明の面状発光モジュールの一例を示す。図１の例の面状発光モジュール５０は導光体３０と光源４０ａ−ｄとを備える。面状発光モジュール５０は複数の光源を有するが、その数は限定されない。図１では４個の光源の例が記載されている。
【００１６】
図１に示す導光体３０は板形状を成している。かかる板形状は側面３１ａと、下底面３２と、上底面３３とを有する。導光体３０は説明のため断面３４で切断されている。導光体３０の成す板形状は基準平面３７に沿って広がっている。
【００１７】
図１に示す側面３１ａは受光面を有する。図中では側面３１ａの全体が受光面となっている。受光面は側面３１ａの一部であってもよい。側面３１ａの成す受光面は光源４０ａ−ｄと対向する。側面３１ａは曲面でもよい。
【００１８】
図１に示す下底面３２は偏向面を有する。下底面３２の全体が偏向面となっている。偏向面は下底面３２の一部であってもよい。上底面３３と側面３１ａ，ｂとは互いに直角を成していてもよい。上底面３３と側面３１ａ，ｂとは互いに交差していてもよく、交差していなくてもよい。
【００１９】
図１に示す光源４０ａ−ｄは下底面３２の成す偏向面と平行な方向に列をなしている。光源４０ａ−ｄは所定の間隔で並ぶことが好ましい。間隔は等間隔でもよい。
【００２０】
図１に示す下底面３２は略Ｖ字型の凹条である溝３６ａ−ｄを有する。下底面３２は溝によって偏向面の機能を発揮する。下底面３２は複数の溝を有するが、その数は限定されない。図中では４本の溝が例示されている。溝３６ａ−ｄは互いに並行する。溝３６ａ−ｄは互いに交差しない。
【００２１】
図１に示す溝３６ａ−ｄは側面３１ａの成す受光面の近傍から、かかる受光面の遠方に向かう方向に順に配置される。導光体３０の成す板形状を平面視した時、溝３６ａ−ｄは滑らかに蛇行している。溝３６ａ−ｄの間で蛇行の位相は互いに不規則にずれている。蛇行の影響を排除した場合には、溝３６ａ−ｄは互いに平行であることが好ましい。
【００２２】
図１に示す上底面３３は発光面を有する。図中では上底面３３の全体が発光面となっている。発光面は上底面３３の一部であってもよい。上底面３３と側面３１ａ，ｂとは互いに直角を成していてもよい。上底面３３と側面３１ａ，ｂとは互いに交差していてもよく、交差していなくてもよい。
【００２３】
図１に示す断面３４は側面３１ａの成す受光面の法線に平行である。断面３４は基準平面２７の法線に平行である。図中において断面３４は側面２１ａと基準平面２７とに対して直角である。本発明において当該断面３４を基準断面とすることがある。
【００２４】
図１２に導光体の溝の断面形状の一例を示す。図１２は後述する実施例における導光体の溝の断面形状を示す。溝の輪郭線の形状は、略Ｖ字形状である。略Ｖ字形状の最奥部は角度を有している必要はない。最奥部は緩やかな曲線でも、平坦でもよい。また、図１２の例に示されるように前記基準断面において、前記溝の輪郭線の接線が前記基準平面に対して成す傾斜角は、前記溝の中での深さが大きくなるにつれて単調に小さくなるとともに、前記深さに応じて滑らかに変化することが好ましい。溝の最奥部までの深さを、溝の最大深さＶＨということがある。
【００２５】
溝がその両側から光源の光を受ける場合、図１２の例に示されるように、かかるＶ字形状の中心線は基準平面に対して直角であることが好ましい。言い換えれば中心線はＺ軸と平行であることが好ましい。また溝は断面において左右対称になるように配置することが好ましい。かかる態様により、出射光束の偏りを抑制できる。
【００２６】
溝の最大深さＶＨ（ｍｍ）は、０．００２〜０．１ｍｍとすることができるがこれに限定されない。図１２中の溝の深さの最大値は０．００７ｍｍである。
【００２７】
溝の輪郭線の接線と、基準平面とのなす角を傾斜角Ｉとしたときに、当該傾斜角Ｉは溝の深さに応じて変化する。傾斜角Ｉは、これを特定しようとする地点の溝の中での深さが大きくなるにつれて単調に小さくなる。傾斜角Ｉは深さに応じて滑らかに変化する。傾斜角Ｉは少なくとも角度の所定の範囲で単調かつ滑らかに変化する。角度の所定の範囲は一例として２５度から６５度までの範囲である。好ましくは４０度から５５度までの範囲である。
【００２８】
溝の幅Ｈは０．００３〜０．２ｍｍとすることができるがこれに限定されない。図中で溝の幅Ｈは約０．０１４ｍｍである。
【００２９】
次に、図２を参照して、複数ある溝間の位置関係について説明する。図２は、本発明の面状発光モジュールにおける蛇行溝の配置の一例を示す平面図及び正面図であり、（ａ）は導光体３０を上底面３３側から見た図、（ｂ）は、導光体３０を基準断面３４側から見た図である。図２（ａ）では、溝（３６ａ−３６ｆ）の位置が示されている。また、図２（ｂ）は、溝の基準断面３４への射影（３８ａ−３８ｆ）が示されている。Ｌａ〜Ｌｅは各溝間の最近接距離であり、前述の図８の説明と同様にして決定される。
本発明においては、溝３６ａ−３６ｆがいずれも、Ｌ／ＶＨ≧１４を満たすように配置されるため、輝線スジ、暗線スジの発生を抑制するとともにグレアが抑制され、Ｌ／ＶＨ≧１６を満たすことがより好ましい。なお、隣接する溝の最大深さが異なる場合には、ＶＨとして、隣接する書く溝の最大深さの平均値を取るものとする。
【００３０】
図３に本発明の照明装置の一実施形態を示す斜視図を示す。図３に示すように他の部材を面状発光モジュール５０に付加して照明装置６０を構成することができる。図３は照明装置の一例であり、本実施形態の照明装置はこれらに限定されない。例えば図１に示す面状発光モジュールはそのまま照明装置として用いることもできる。照明装置を設置する向きは限定されない。例えば上底面３３の成す発光面が鉛直方向の下方向に向くように、照明装置６０を天井に設置してもよい。
【００３１】
図３に示す照明装置６０において、例えば上底面４５の成す発光面を、凸条４７を有する面とする。凸条４７の高さは１０〜５００μｍ、好ましくは１０〜５０μｍとすることができる。凸条４７の高さは一定でなくてもよい。
【００３２】
図３に示す凸条４７の断面は楕円弧、円弧、放物線及び多角形のいずれかでもよい。図中の凸条４７はレンチキュラーレンズである。円弧は半円でもよい。凸条４７がレンチキュラーレンズの場合、凸条４７のアスペクト比は次のように規定することができる。レンチキュラーレンズの垂直断面をトレースする円の半径をＲとして、レンチキュラーレンズを形成する円弧のトップから弦までの距離をｒとしたとき、（アスペクト比）＝ｒ／２Ｒ×１００（％）。このとき、アスペクト比は１０％より大きく、４０％以下とすることができる。凸条４７の発光面又は基準平面（図１、基準平面２７）に対する傾斜角は０〜８５°とすることができる。
【００３３】
図３に示す凸条４７は互いに並行する。凸条４７同士の間隔は５０〜３００μｍとすることができる。凸条４７は側面３１ａ，ｂの成す受光面に対して直角であることが好ましい。凸条４７は受光面の法線と平行な直線状とすることができる。
【００３４】
また下底面３２の成す偏向面を覆うように反射材４４を設けてもよく、設けなくてもよい。反射材４４の反射面は偏向面に対向するとともに拡散性を有してもよい。拡散性を有する反射面は例えば非鏡面である。反射材４４は反射シートでもよい。一方、偏向面に対して、反射材４４の有する非鏡面が対向していないことで、偏向面側における光のエネルギーの損失を抑制できる。また反射材４４の反射面が鏡面であると共に、偏向面に対向していてもよい。かかる態様でも上記と同一の効果が得られる。
【００３５】
図３に示す反射材４４を照明装置に設けないことで、照明装置は偏向面からも発光することができる。かかる照明装置を天井から吊り下げて設置した場合には天井下の空間を発光面で照らすとともに、天井を偏向面で照らすこともできる。
【００３６】
また図３に示す上底面３３の成す発光面を覆うように拡散材５１を設けてもよく、設けなくてもよい。拡散材５１は導光体３０の側端を覆ってもよい。拡散材５１は拡散板でも、拡散シートでもよい。拡散材５１の厚さは０．１〜３ｍｍとすることができる。拡散材５１の表面は鏡面でもよい。
【００３７】
図３に示すように上底面３３の成す発光面に対向する拡散材５１を設けないことで発光面から発せられる光のエネルギーの損失を抑制できる。また拡散材５１に替えて、透明材を用いてもよい。透明材は光エネルギーの損失を抑制しつつ発光面を保護することができる。
【００３８】
拡散材５１を照明装置６０に付与する場合は、拡散材５１の全光線透過率（Ｔ．Ｔ）は７０％以上であることが好ましい。拡散材５１のヘイズ値は８０％以上であることが好ましい。
【００３９】
図３に示すように照明装置６０は光源４０ａ−ｄを有する棒状の光源ユニット４３ａを備える。導光体３０は側面３１ｂをさらに有する。側面３１ｂは側面３１ａと対向する。側面３１ａは光源ユニット４３ｂと対向する。光源ユニット４３ｂは導光体３０を挟んで光源ユニット４３ａと対向する。光源ユニット４３ｂは光源ユニット４３ａと同等の構成を有する。このため、光源ユニット４３ａ，ｂによって上底面３３の成す発光面を均一に発光させることができる。
【実施例】
【００４０】
以下、実施例を用いてより詳細に説明する。なお本発明は、下記実施例に限定されるものではない。
【００４１】
＜実施例１＞
図５に示される面状発光もジュールを用い、輝線スジ、暗線スジの発生を調べた。以下の実施例および比較例では拡散材５１は設置しなかった。また、本実施例においては、５９０ｍｍ角×厚さ３ｍｍの導光体を使用しているが、図５に示されるように、導光体３０の周縁部はフレーム５２に覆われている。本実施例においては、導光体３０のフレーム５２に覆われていない５８０ｍｍ角を発光エリア５３として測定を行った。本実施例においては、着目する光源ユニット４３ｂ側のフレーム５２と発光エリア５３の境界５５をＹ＝０とする。
【００４２】
［導光体及び光源］
図５（ａ）は面状発光モジュール５０の正面図である。図５（ｂ）は当該面状発光モジュール５０の側面図である。また図６は、図５の導光体の溝の形状を示す模式図である。平面視した導光体３０は正方形又は長方形の形状を有する。本実施例においては、５９０ｍｍ角の導光体を使用している。図５に示す導光体３０の厚さは１〜８ｍｍとすることができる。本実施例では導光体の厚さは３ｍｍである。側面３１ｂと側面３１ａとの間に複数の溝３６を有している。図６には溝３６の蛇行を溝の中心を表すベースラインで表現されている。
【００４３】
図５に示す光源ユニット４３ａ、ｂは２個以上のＬＥＤの光源群からなるものである。光源ユニット４３ｂは導光体３０を挟んで光源ユニット４３ａの反対側に位置している。また、光源ユニット４３ｂは側面３１ｂに対向している。導光体３０の側面３１ｂ及び側面３１ａの成す受光面はいずれも上底面の成す発光面に対して直角である。以上の通り、線状の光源ユニット４３ａ，ｂは導光体３０のサイドエッジに配置される。
【００４４】
図５に示す上底面の成す発光面上に凸条４７を設ける場合がある。以下の実施例及び比較例では、上底面の成す発光面上には、アスペクト比２０％のレンチキュラーレンズが設けられている。レンチキュラーレンズの高さは１２．５μｍ、幅は５０μｍ、ピッチは５０μｍである。
【００４５】
［溝の形状］
図６に示すように溝３６は滑らかに蛇行している。各溝３６の間で蛇行の位相は互いに不規則にずれている。
導光体３０に設けられた溝３６の形状は面状発光モジュールのグレア低減に影響を及ぼす。図１２は平面視した溝３６の輪郭線を模式的に表す。溝３６を平面視した時に、溝３６のベースラインと交差する輪郭線が連続的に表されている。以下の実施例および比較例では、溝３６の蛇行の形状は正弦曲線である。蛇行の形状は放物線などでもよい。図６に示す周期Ｐは溝３６の蛇行の周期である。また蛇行幅Ｍは複合溝２７ａの蛇行の蛇行幅である。
【００４６】
図５に示す溝３６は互いに接しないことが好ましいので、複合溝同士の間隔は蛇行幅Ｍの２倍よりも大きいことが好ましい。溝の中心間の間隔を蛇行溝の基準線４１の間隔としたときに当該間隔は、（蛇行幅Ｍ）×２＋（複合溝の幅）よりも大きいことが好ましい。一次溝の中心間の間隔は２ｍｍ未満とすることが好ましい。蛇行幅Ｍは２００μｍ以下としてもよい。周期Ｐは０．０５〜５ｍｍとすることができる。実施例１の導光体は、蛇行溝の周期Ｐは５００μｍ、蛇行幅Ｍは７０μｍとし、一つの導光体内で溝の中心間の間隔（ピッチ）を様々に変化させることにより、Ｌ／ＶＨを変化させた。最大ピッチ及び最小ピッチは表１に示す。
【００４７】
＜比較例１＞
比較例１の面状発光モジュールは、前記実施例１において導光体を変更した。比較例１の導光体は、光源ユニットに対向する側面２５０ｍｍ×２２０ｍｍ×厚み３ｍｍの板状の導光体とした。また、光源ユニットは図５の４３ｂのみを用い、光源ユニット４３ａは用いていない。比較例１の導光体は、蛇行溝の周期Ｐは５００μｍ、蛇行幅Ｍは７０μｍとし、一つの導光体内で溝の中心間の間隔（ピッチ）を様々に変化させることにより、Ｌ／ＶＨを変化させた。比較例１では光源ユニットから離れるにつれてピッチが小さくなるように溝が配置されている。
表１に実施例１及び比較例の導光体の形状を示す。また表２に実施例１及び比較例１の面状発光モジュールの測定結果を示す。
【００４８】
【表１】
2019185886.tif 000003
【００４９】
【表２】
2019185886.tif 000004
【００５０】
表２に示されるように、複数ある溝の近接距離Ｌと、当該溝の最大深さＶＨとが、
Ｌ／ＶＨ≧１４
の関係を見たす場合には、輝線スジ及び暗線スジの発生が抑制されることが明らかとなった。このように本発明によれば輝線スジや暗線スジの発生が抑制され、グレアの発生が抑制された面状発光モジュールが得られることが明らかとなった。
【符号の説明】
【００５１】
１  照明装置；  ２  導光板；  ２ａ，ｂ  側面；  ２ｃ  底面；  ２ｄ  主面；  ３ａ，ｂ  光源ユニット；  ４  反射材；  ５  拡散材；  ６  凹条；  ７  凸条；  ８  発光ダイオード；  ２０  導光体；  ２１、２１ａ，ｂ  側面；  ２３  上底面；  ２４  断面；  ２６ａ−ｆ  溝；  ２７  基準平面；  ３０ａ−ｄ  光源；  ２８ａ−ｆ  射影；  ２９ａ−ｂ  端点；  ３１、３１ａ，ｂ  側面；  ３２  下底面；  ３３  上底面；  ３４  断面；  ３６、３６ａ−ｆ  溝；  ３７  基準平面；  ３８ａ−ｆ  射影；  ３９ａ−ｂ  端点；  ４１  蛇行溝の基準線；４３ａ，ｂ  光源ユニット；  ４４  反射材；  ４５  上底面；  ４７  凸条；  ５０  面状発光モジュール；  ５１  拡散材；  ５２  フレーム；  ５３  発光エリア；  境界５５；  ６０  照明装置
【図１】
2019185886.tif 000005
【図２】
2019185886.tif 000006
【図３】
2019185886.tif 000007
【図４】
2019185886.tif 000008
【図５】
2019185886.tif 000009
【図６】
2019185886.tif 000010
【図７】
2019185886.tif 000011
【図８】
2019185886.tif 000012
【図９】
2019185886.tif 000013
【図１０】
2019185886.tif 000014
【図１１】
2019185886.tif 000015
【図１２】
2019185886.tif 000016